【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
３つの単位画素によって構成された１画素を有し、前記単位画素はそれぞれ透過領域と反射領域とを有しており、
前記３つの単位画素にそれぞれ対応して３原色の１つの色の着色層を設けたカラーフィルタを有する半透過型カラー液晶表示装置において、
少なくとも３原色の１つの色の着色層が設けられた前記単位画素の反射領域の一部を遮光し、当該反射領域の面積を、残りの２色の着色層が設けられた各単位画素の反射領域の面積と異ならしめたことを特徴とする半透過型カラー液晶表示装置。
【請求項２】
前記カラーフィルタは、前記３つの単位画素にそれぞれ対応して、赤、緑、青の３原色の１つの色の前記着色層を備え、
赤の色の着色層が設けられた前記単位画素の反射領域の一部を遮光することにより、当該反射領域の面積を、残りの緑及び青の色の着色層が設けられた各単位画素の反射領域の面積より小さくならしめたことを特徴とする請求項１に記載の半透過型カラー液晶表示装置。
【請求項３】
略矩形状の３つの単位画素が配列され、構成された１画素を有し、前記単位画素はそれぞれ透過領域と反射領域とを有しており、
前記３つの単位画素にそれぞれ対応して３原色の１つの色の着色層を設けたカラーフィルタを有する半透過型カラー液晶表示装置において、
少なくとも３原色の１つの色の着色層が設けられた前記単位画素の配列方向の幅を変えることにより、当該反射領域の面積を、残りの２色の着色層が設けられた各単位画素の反射領域の面積と異ならしめたことを特徴とする半透過型カラー液晶表示装置。
【請求項４】
前記カラーフィルタは、前記３つの単位画素にそれぞれ対応して、赤、緑、青の３原色の１つの色の前記着色層を備え、
赤の色の着色層が設けられた前記単位画素の配列方向の幅を変えることにより、当該反射領域の面積を、残りの緑及び青の色の着色層が設けられた各単位画素の反射領域の面積より小さくならしめたことを特徴とする請求項３に記載の半透過型液晶表示装置。
【請求項５】
前記３つの単位画素のそれぞれの透過領域の面積は、略等しくなっていることを特徴とする請求項１〜４のいずれか１項に記載の半透過型カラー液晶表示装置。
【請求項６】
３つの単位画素によって構成された１画素を有し、前記単位画素はそれぞれ透過領域と反射領域とを有しており、
前記３つの単位画素にそれぞれ対応して３原色の１つの色の着色層を設けたカラーフィルタを有する半透過型カラー液晶表示装置において、
少なくとも３原色の１つの色の着色層が設けられた前記単位画素の反射領域の内部に、当該着色層の色とは異なる色の補正着色層を形成するとともに、当該反射領域において、少なくとも前記補正着色層と前記着色層との間に透明樹脂層を形成し、前記補正着色層と前記着色層とを離間せしめたことを特徴とする半透過型カラー液晶表示装置。
【請求項７】
前記３つの単位画素は、隣接して配列されており、
前記カラーフィルタは、前記３つの単位画素にそれぞれ対応して、赤、緑、青の３原色の１つの色をこの順とした前記着色層を備え、
赤の色の着色層が設けられた前記単位画素の反射領域の内部に、緑の色の補正着色層を形成し、
赤の色の着色層に隣接した緑の色の着色層が設けられた前記単位画素の反射領域の内部に、青の色の補正着色層を形成したことを特徴とする請求項６に記載の半透過型カラー液晶表示装置。
【手続補正２】
【補正対象書類名】明細書
【補正対象項目名】００１０
【補正方法】変更
【補正の内容】
【００１０】
本発明の第１の態様にかかる半透過型カラー液晶表示装置は、３つの単位画素によって構成された１画素を有し、前記単位画素はそれぞれ透過領域と反射領域とを有しており、前記３つの単位画素にそれぞれ対応して３原色の１つの色の着色層を設けたカラーフィルタを有する半透過型カラー液晶表示装置において、少なくとも３原色の１つの色の着色層が設けられた前記単位画素の反射領域の一部を遮光し、当該反射領域の面積を、残りの２色の着色層が設けられた各単位画素の反射領域の面積と異ならしめたことを特徴とするものである。このような構成を有することによって、簡便に色度を調整することが可能である。
【手続補正３】
【補正対象書類名】明細書
【補正対象項目名】００１１
【補正方法】変更
【補正の内容】
【００１１】
本発明の第２の態様にかかる半透過型カラー液晶表示装置は、上記の半透過型カラー液晶表示装置において、前記カラーフィルタは、前記３つの単位画素にそれぞれ対応して、赤、緑、青の３原色の１つの色の前記着色層を備え、赤の色の着色層が設けられた前記単位画素の反射領域の一部を遮光することにより、当該反射領域の面積を、残りの緑及び青の着色層が設けられた各単位画素の反射領域の面積より小さくならしめたことを特徴とするものである。このような構成を有することによって、簡便に色度を調整することができる。
【手続補正４】
【補正対象書類名】明細書
【補正対象項目名】００１２
【補正方法】変更
【補正の内容】
【００１２】
本発明の第３の態様にかかる半透過型カラー液晶表示装置は、略矩形状の３つの単位画素が配列され、構成された１画素を有し、前記単位画素はそれぞれ透過領域と反射領域とを有しており、前記３つの単位画素にそれぞれ対応して３原色の１つの色の着色層を設けたカラーフィルタを有する半透過型カラー液晶表示装置において、少なくとも３原色の１つの色の着色層が設けられた前記単位画素の配列方向の幅を変えることにより、当該反射領域の面積を、残りの２色の着色層が設けられた各単位画素の反射領域の面積と異ならしめたことを特徴とするものである。このような構成を有することによって、簡便に色度を調整することができる。
【手続補正５】
【補正対象書類名】明細書
【補正対象項目名】００１３
【補正方法】変更
【補正の内容】
【００１３】
本発明の第４の態様にかかる半透過型カラー液晶表示装置は、上記の半透過型カラー液晶表示装置において、前記カラーフィルタは、前記３つの単位画素にそれぞれ対応して、赤、緑、青の３原色の１つの色の前記着色層を備え、赤の色の着色層が設けられた前記単位画素の配列方向の幅を変えることにより、当該反射領域の面積を、残りの緑及び青の着色層が設けられた各単位画素の反射領域の面積より小さくならしめたことを特徴とするものである。このような構成を有することによって、簡便に色度を調整することができる。
【手続補正６】
【補正対象書類名】明細書
【補正対象項目名】００１４
【補正方法】変更
【補正の内容】
【００１４】
本発明の第５の態様にかかる半透過型カラー液晶表示装置は、上記の半透過型カラー液晶表示装置において、前記３つの単位画素のそれぞれの透過領域の面積は、略等しくなっていることを特徴とするものである。このような構成を有することによって、透過モードの色純度を維持しつつ、反射モードの色純度を簡便に調整することができる。
【手続補正７】
【補正対象書類名】明細書
【補正対象項目名】００１５
【補正方法】変更
【補正の内容】
【００１５】
本発明の第６の態様にかかる半透過型カラー液晶表示装置は、３つの単位画素によって構成された１画素を有し、前記単位画素はそれぞれ透過領域と反射領域とを有しており、前記３つの単位画素にそれぞれ対応して３原色の１つの色の着色層を設けたカラーフィルタを有する半透過型カラー液晶表示装置において、少なくとも３原色の１つの色の着色層が設けられた前記単位画素の反射領域の内部に、当該着色層の色とは異なる色の補正着色層を形成するとともに、当該反射領域において、少なくとも前記補正着色層と前記着色層との間に透明樹脂層を形成し、前記補正着色層と前記着色層とを離間せしめたことを特徴とするものである。このような構成を有することによって、製造コストを抑制することができるとともに、輝度の低下を抑制し、簡便に色度を調整することが可能である。
【手続補正８】
【補正対象書類名】明細書
【補正対象項目名】００１６
【補正方法】変更
【補正の内容】
【００１６】
本発明の第７の態様にかかる半透過型カラー液晶表示装置は、上記の半透過型カラー液晶表示装置において、前記３つの単位画素は、隣接して配列されており、前記カラーフィルタは、前記３つの単位画素にそれぞれ対応して、赤、緑、青の３原色の１つの色をこの順とした前記着色層を備え、赤の色の着色層が設けられた前記単位画素の反射領域の内部に、緑の色の補正着色層を形成し、赤の色の着色層に隣接した緑の色の着色層が設けられた前記単位画素の反射領域の内部に、青の色の補正着色層を形成したことを特徴とする。このような構成を有することによって、製造コストを抑制することができるとともに、輝度の低下を抑制し、簡便に色度を調整することが可能である。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００６０
【補正方法】変更
【補正の内容】
【００６０】
本実施の形態においては、Ｒの単位画素１１２Ｒの反射領域１１３Ｒの内部に補正着色層１２０Ｇが設けられている。補正着色層１２０ＧＲは、隣接するＧの単位画素１１２Ｇの着色層１１５Ｇと同一の着色樹脂からなる。Ｒの反射着色層１１５Ｒｒと補正着色層１２０Ｇとの間には透明樹脂層１１６Ｒがあり、接していない。すなわち、補正着色層１２０Ｇと着色層１１５Ｒとは、離間して設けられている。すなわち、透明樹脂層１１６Ｒは、補正樹脂層１２０Ｇを囲むようにロの字型に形成される。